(57)【特許請求の範囲】
【請求項１】
被測定者の腕部に着脱自在に装着されるカフとチューブを介して接続され、前記カフ内の圧力を測定する圧力センサを有するとともに、該測定値の変動に基づいて血圧値を決定する制御部を有し、かつ、決定された血圧値を表示する表示部を有する本体と、
該本体に取り付けられ、圧縮操作によって前記カフに空気を供給して、前記カフを膨張させる球状の手押しポンプと、
前記本体から前記手押しポンプの軸方向に該手押しポンプの外面に沿って延設され、前記手押しポンプとともに把持可能な把持部とを備え、
前記表示部が、前記手押しポンプの軸線とほぼ直交する方向から血圧値を視認可能に前記本体に配置された血圧計において、
前記把持部の幅方向の中心線を、前記表示部に対して前記手押しポンプの軸線回りの１０°以上８０°未満の範囲内に配置したことを特徴とする血圧計。
【請求項２】
前記把持部の幅方向の中心線を、前記表示部に対して前記手押しポンプの軸線回りの４５°の位置に配置したことを特徴とする請求項１に記載した血圧計。
【請求項３】
前記把持部の幅寸法を、前記手押しポンプの軸回りの９０°未満としたことを特徴とする請求項１又は２に記載した血圧計。
【請求項４】
前記把持部の前記本体からの延出端を、前記手押しポンプの軸方向長さの１／２を超え、４／５未満の位置に配置したことを特徴とする請求項１〜３のいずれか一項に記載した血圧計。
【請求項５】
前記把持部の前記本体からの延出端を、前記手押しポンプの最大径より前記本体から離間する側に配置したことを特徴とする請求項４に記載した血圧計。
【請求項６】
前記把持部は、前記本体からの延出方向に沿って前記手押しポンプの外面との間にすきまを形成して配置されるとともに、延出端が前記手押しポンプに接触することを特徴とする請求項４又は５に記載した血圧計。
【請求項７】
前記把持部を前記本体に対して前記手押しポンプの軸線回りに回転可能に配置するとともに、該把持部を所定の回転角度で位置決め規制する規制手段を備えたことを特徴とする請求項１〜６のいずれか一項に記載した血圧計。
【発明の詳細な説明】
【技術分野】
【０００１】
本発明は、血圧値を表示する表示部を有する本体に、カフを膨張させる球状の手押しポンプが一体に設けられた血圧計に関する。
【背景技術】
【０００２】
従来の血圧計としては、被測定者の腕部に着脱自在に装着されるカフとチューブを介して接続される本体と、該本体に取り付けられ、圧縮操作によってカフに空気を供給して、カフを膨張させる球状の手押しポンプとを備えたものが知られている。
本体は、カフ内の圧力を測定する圧力センサが内蔵されているとともに、該測定値の変動に基づいて血圧値を決定する制御部が内蔵されている。また、本体の外面には、制御部によって決定された血圧値を表示する液晶パネル等の表示部が、該表示血圧値を手押しポンプの軸線とほぼ直交する方向から視認可能に配置されている。更に、本体には、手押しポンプの圧縮操作を行いやすくするための把持部が設けられている。
【０００３】
この把持部は、本体から手押しポンプの軸方向に該手押しポンプの外面に沿って延設されており、従来においては、表示部と同じ位相（表示部に対して手押しポンプの軸線回りの０°位置（例えば、特許文献１及び特許文献２参照））、あるいは表示部の側方位置（表示部に対して手押しポンプの軸線回りの９０°位置（例えば、特許文献３参照））に配置されている。
【特許文献１】特表２００４−５１５２５７号公報、図２
【特許文献２】意匠登録第１１５５９８８号公報
【特許文献３】実公昭５８−１０５６６号公報
【発明の開示】
【発明が解決しようとする課題】
【０００４】
ところで、手押しポンプを圧縮操作するのは主に指の力によるものなので、指が把持部に当たることなく、自由に動作できるように、該把持部は、できるだけ親指と人指し指との間から掌の凹部の方向（知能線の延びる方向）に握るようにすることが好ましい。
しかし、上記特許文献１及び特許文献２のように、把持部が表示部と同じ位相に配置される場合は、把持部を掌の凹部の方向に握ると、表示部が操作者に対して正面を向かなくなり、該表示部に表示された血圧値が見にくくなる。また、上記特許文献３についても、把持部が表示部の側方に配置されているため、把持部を掌の凹部の方向に握ると、同様の理由で、表示部が操作者に対して正面を向かなくなり、該表示部に表示された血圧値が見にくくなる。
すなわち、上記特許文献１〜３では、把持部を手押しポンプとともに把持して該手押しポンプを圧縮操作する際、表示部を使用者に対して正面に向けて、該表示部に表示された血圧値を見やすくすると、指が把持部に当たって、手押しポンプの圧縮操作がしにくくなる。一方、指が把持部に当たらないようにして、手押しポンプを圧縮操作しやすくすると、表示部が操作者に対して正面を向かなくなり、該表示部に表示された血圧値が見にくくなるという問題がある。
【０００５】
本発明は、このような不都合を解消するためになされたものであり、把持部を手押しポンプとともに把持して該手押しポンプを圧縮操作する際、表示部を使用者に対してほぼ正面に向けて、該表示部に表示された血圧値を見やすくすることができるとともに、指が把持部に当たらないようにして、手押しポンプを圧縮操作しやすくすることができる血圧計の提供を目的とする。
【課題を解決するための手段】
【０００６】
上記目的を達成するために、請求項１に係る発明は、被測定者の腕部に着脱自在に装着されるカフとチューブを介して接続され、前記カフ内の圧力を測定する圧力センサを有するとともに、該測定値の変動に基づいて血圧値を決定する制御部を有し、かつ、決定された血圧値を表示する表示部を有する本体と、該本体に取り付けられ、圧縮操作によって前記カフに空気を供給して、前記カフを膨張させる球状の手押しポンプと、前記本体から前記手押しポンプの軸方向に該手押しポンプの外面に沿って延設され、前記手押しポンプとともに把持可能な把持部とを備え、前記表示部が、前記手押しポンプの軸線とほぼ直交する方向から血圧値を視認可能に前記本体に配置された血圧計において、
前記把持部の幅方向の中心線を、前記表示部に対して前記手押しポンプの軸線回りの１０°以上８０°未満の範囲内に配置した構成としてある。
上記構成によれば、手押しポンプの操作者に対して表示部をほぼ正面に向けた状態で、把持部を、親指と人指し指との間から掌の凹部の方向（知能線の延びる方向）に握ることができる。従って、指が把持部に当たることなく、指を自由に動作させることができ、また、手押しポンプの本体に対する動きを抑制することができる。これにより、効率よく手押しポンプの圧縮操作を繰り返すことができ、また、操作中に表示部をほぼ正面から見て血圧値を容易に確認することができる。
【０００７】
請求項２に係る発明は、前記把持部の幅方向の中心線を、前記表示部に対して前記手押しポンプの軸線回りの４５°の位置に配置した構成としてある。
上記構成によれば、手押しポンプの操作者に対して表示部を正面に向けた状態で、把持部を、親指と人指し指との間から掌の凹部の方向（知能線の延びる方向）に握ることができるので、操作中に表示部を正面から見ることができ、表示部に表示された血圧値をより見やすくすることができる。
【０００８】
請求項３に係る発明は、前記把持部の幅寸法を、前記手押しポンプの軸回りの９０°未満とした構成としてある。
上記構成によれば、把持部が手押しポンプの外面を覆う面積を少なくして、手で手押しポンプを把持部とともに握った際に、手押しポンプを握る部分の面積を大きくすることができる。これにより、手押しポンプを圧縮操作する際のポンプ縮小率を稼ぐことができ、手押しポンプの圧縮操作をより効率的に行うことができる。
【０００９】
請求項４に係る発明は、前記把持部の前記本体からの延出端を、前記手押しポンプの軸方向長さの１／２を超え、４／５未満の位置に配置した構成としてある。
上記構成によれば、把持部が手押しポンプの外面を覆う面積を少なくして、手で手押しポンプを把持部とともに握った際に、手押しポンプを握る部分の面積を大きくすることができる。これにより、手押しポンプを圧縮操作する際のポンプ縮小率を稼ぐことができ、手押しポンプの圧縮操作をより効率的に行うことができる。
また、手押しポンプの圧縮操作時に、把持部の延出端を支点として手押しポンプが屈曲するのを防止することができる。
【００１０】
請求項５に係る発明は、前記把持部の前記本体からの延出端を、前記手押しポンプの最大径より前記本体から離間する側に配置した構成としてある。
上記構成によれば、手押しポンプの圧縮操作時に、把持部の延出端を支点として手押しポンプが屈曲するのを、確実に防止することができる。
【００１１】
請求項６に係る発明は、前記把持部は、前記本体からの延出方向に沿って前記手押しポンプの外面との間にすきまを形成して配置されるとともに、延出端が前記手押しポンプに接触する構成としてある。
上記構成によれば、手押しポンプの圧縮操作時に圧縮ストロークをすきま分だけ大きくとることができる。これにより、手押しポンプを圧縮操作する際の縮小率を更に稼ぐことができる。また、把持部の延出端が手押しポンプに接触しているので、手押しポンプの圧縮操作の操作性を阻害しない。
【００１２】
請求項７に係る発明は、前記把持部を前記本体に対して前記手押しポンプの軸線回りに回転可能に配置するとともに、該把持部を所定の回転角度で位置決め規制する規制手段を備えた構成としてある。
上記構成によれば、操作者が右利き、左利きの場合でも、把持部の幅方向の中心線を、表示部に対して手押しポンプの軸線回りの１０°以上８０°未満の範囲内に配置することができる。
【発明の効果】
【００１３】
本発明によれば、把持部を手押しポンプとともに把持して該手押しポンプを圧縮操作する際、表示部を使用者に対してほぼ正面に向けて、該表示部に表示された血圧値を見やすくすることができるとともに、指が把持部に当たらないようにして、手押しポンプを圧縮操作しやすくすることができる。
【発明を実施するための最良の形態】
【００１４】
以下、本発明の実施の形態の一例を図を参照して説明する。図１は本発明の実施の形態の一例である血圧計の正面図、図２は図１のＡ−Ａ線断面図、図３及び図４は図１の矢印Ｂ方向から見た図、図５は手押しポンプの最大径と把持部の延出端との位置関係を説明するための図、図６は手押しポンプと把持部との間のすきまによる手押しポンプの圧縮ストロークの増大効果を説明するための図である。
【００１５】
本発明の実施の形態の一例である血圧計１は、被測定者の腕部に着脱自在に装着されるカフとチューブ（共に図示せず）を介して接続される本体２と、該本体２の下部に取り付けられ、圧縮操作によってカフに空気を供給して、カフを膨張させるゴム球等からなる手押しポンプ３とを備えている。
【００１６】
本体２は、図２に示すように、合成樹脂製等のケース４に、カフ内の圧力を測定する圧力センサ５が内蔵されているとともに、該測定値の変動に基づいて血圧値を決定する制御部が搭載された基板６が内蔵されている。本体２の上部には、カフとの間に介装されるチューブが接続されるカフコネクタ７が設けられている。
なお、図２において、符号８は手押しポンプ３内とカフコネクタ７との間の空気流路を形成するチューブ、９は圧力センサ５とカフコネクタ７との間の空気流路を形成するチューブ、１０は電源用の電池、１１はチューブ８の手押しポンプ３側の端部に配置された定速排気弁、１２は本体２の背面側に設けられた強制排気ボタン、１３は本体２の正面側に設けられた電源スイッチである。
【００１７】
また、本体２の正面側には、基板６に搭載された制御部によって決定された血圧値（最高血圧値及び最低血圧値）を表示する液晶表示パネル等の表示部１４が、電源スイッチ１３の上方に位置して配置されている。表示部１４は、表示血圧値を手押しポンプ３の軸線とほぼ直交する方向から風防板１５を介して視認可能とされている。
更に、本体２には、手押しポンプ３を手で握って圧縮操作するときに、この圧縮操作を行いやすくするとともに、該本体２が倒れないようにするための把持部１６が設けられている。把持部１６は、本体２から手押しポンプ３の軸方向に該手押しポンプ３の外面に沿って延設されており、延出端が円弧状に形成されている。
【００１８】
そして、この実施形態では、図３に示すように、把持部１６の幅方向の中心線を、表示部１４に対して手押しポンプ３の軸線回りの４５°の位置に配置している。これにより、手押しポンプ３の操作者に対して表示部１４を正面に向けた状態で、把持部１６を、親指と人指し指との間から掌の凹部の方向（知能線の延びる方向）で握ることができる。
したがって、指が把持部１６にあたることなく、指を自由に動作させることができ、また、手押しポンプ３の本体２に対する動きを抑制することができる。
【００１９】
なお、把持部１６の幅方向の中心線は、表示部１４に対して手押しポンプ３の軸線回りの４５°に限定されるものではなく、１０°以上８０°未満の範囲内に配置することができる。把持部１６の幅方向の中心線を、表示部１４に対して手押しポンプ３の軸線回りの１０°以上８０°未満の範囲内に配置することにより、手押しポンプ３の操作者に対して表示部１４をほぼ正面に向けた状態で、把持部１６を、親指と人指し指との間から掌の凹部の方向（知能線の延びる方向）に握ることができる。
特に、把持部１６の幅方向の中心線を、表示部１４に対して手押しポンプ３の軸線回りの４５°±１０°の範囲内にすると、表示部が見やすい状態で、手押しポンプの操作性も最も良好な状態を維持することができる。
【００２０】
また、把持部１６の幅寸法は、図４に示すように、手押しポンプ３の軸回りの９０°未満としてあるので、把持部１６が手押しポンプ３の外面を覆う面積を少なくして、手で手押しポンプ３を把持部１６とともに握った際、手押しポンプ３を握る部分の面積を大きくすることができる。これにより、手押しポンプ３を圧縮操作する際のポンプ縮小率を稼ぐことができ、手押しポンプ３の圧縮操作をより効率的に行うことができる。
【００２１】
更に、図１に示すように、把持部１６の本体２からの延出端を、手押しポンプ３の軸方向長さＬの１／２を超え、４／５未満の位置で、かつ、図５に示すように、手押しポンプ３の最大径より本体２から離間する側に配置して、把持部１６が手押しポンプ３の外面を覆う面積を少なくしているので、手で手押しポンプ３を把持部１６とともに握った際に、手押しポンプ３を握る部分の面積を大きくすることができる。
これにより、手押しポンプ３を圧縮操作する際のポンプ縮小率を稼ぐことができ、手押しポンプ３の圧縮操作をより効率的に行うことができるとともに、手押しポンプ３の圧縮操作時に、把持部１６の延出端を支点として手押しポンプ３が屈曲するのを確実に防止することができる。
【００２２】
更に、把持部１６は、図６に示すように、本体２からの延出方向に沿って手押しポンプ３の外面との間にすきま１７を形成して配置するとともに、延出端を手押しポンプ３の外面に接触させているので、手押しポンプ３の圧縮操作の操作性を阻害することなく、手押しポンプ３の圧縮操作時の圧縮ストロークＳをすきま１７分だけ大きくとることができる。
これにより、手押しポンプ３を圧縮操作する際の縮小率を更に稼ぐことができ、手押しポンプ３の圧縮操作をより効率的に行うことができる。
【００２３】
このように、この実施の形態では、把持部１６の幅方向の中心線を、表示部１４に対して手押しポンプ３の軸線回りの４５°の位置に配置しているので、手押しポンプ３の操作者に対して表示部１４を正面に向けた状態で、把持部１６を、親指と人指し指との間から掌の凹部の方向（知能線の延びる方向）に握ることができる。
【００２４】
したがって、指が把持部１６に当たることなく、指を自由に動作させることができ、また、手押しポンプ３の本体２に対する動きを抑制することができる。これにより、効率よく手押しポンプ３の圧縮操作を繰り返すことができ、また、操作中に表示部１４を正面から見て血圧値を容易に確認することができる。
【００２５】
なお、本発明の圧力センサ、制御部、表示部、本体、手押しポンプ、把持部、規制手段等の構成は、上記実施の形態に例示したものに限定されるものではなく、本発明の要旨を逸脱しない範囲において適宜変更可能である。
例えば、上記実施の形態では、把持部１６を本体２に一体に配置した場合を例示したが、これに代えて、図７に示すように、把持部１６を本体２に対して手押しポンプ３の軸線回りに回転可能に配置した血圧計２０としてもよい。
【００２６】
この血圧計２０は、本体２の下部に小径部２１及び大径部２２が下方に向けて順番に形成されており、大径部２２の下面には円筒部２３がほぼ同心に形成されている。また、把持部１６の上部には、小径孔部２４及び大径孔部２５が下方に向けて順番に形成されている。
そして、把持部１６の小径孔部２４及び大径孔部２５を、それぞれ本体２の小径部２１及び大径部２２に嵌め込むことにより、把持部１６が本体２に対して手押しポンプ３の軸線回りに回転可能に支持されるようになっている。また、本体２の円筒部２３と把持部１６の大径孔部２５との間には、Ｏリング（規制手段）２６が介装されている。該Ｏリング２６は、把持部１６の回転動作時に、本体２の円筒部２３の外周面と把持部１６の大径孔部２５の内周面に摺接するようになっており、これにより、把持部１６に摺動抵抗が作用して、該把持部１６が所定の回転角度で位置決め規制される。
【００２７】
このように、把持部１６を本体２に対して手押しポンプ３の軸線回りに回転可能に配置するとともに、該把持部１６を所定の回転角度で位置決め規制するＯリング２６を備えた構成とすることにより、把持部１６の幅方向の中心線を、表示部１４に対して手押しポンプ３の軸線回りの１０°以上８０°未満の範囲内において任意の角度に調整することができる。
また、操作者が左利きの場合でも、把持部１６を回転させることにより、左手で把持した場合においても、把持部１６の幅方向の中心線を、表示部１４に対して手押しポンプ３の軸線回りの１０°以上８０°未満の範囲内に容易に配置することができる。
なお、Ｏリング２６の代わりにストッパを設けて把持部１６を所定の回転角度で位置決め規制するようにしてもよい。
【図面の簡単な説明】
【００２８】
【図１】本発明の実施の形態の一例である血圧計の正面図である。
【図２】図１のＡ−Ａ線断面図である。
【図３】図１の矢印Ｂ方向から見た図で、把持部の配置範囲を説明するための図である。
【図４】図１の矢印Ｂ方向から見た図で、把持部の幅寸法の好適範囲を説明するための図である。
【図５】手押しポンプの最大径と把持部の延出端との位置関係を説明するための図である。
【図６】手押しポンプと把持部との間のすきまによる手押しポンプの圧縮ストロークの増大効果を説明するための図である。
【図７】本発明の他の実施の形態である血圧計の一部を破断した正面図である。
【符号の説明】
【００２９】
１，２０  血圧計
２  本体
３手押しポンプ
５  圧力センサ
６  基板（制御部）
１４  表示部
１６  把持部
１７  すきま
２６  Ｏリング（規制手段）
【図１】
0004460511.tif 000002
【図２】
0004460511.tif 000003
【図３】
0004460511.tif 000004
【図４】
0004460511.tif 000005
【図５】
0004460511.tif 000006
【図６】
0004460511.tif 000007
【図７】
0004460511.tif 000008